(57)【特許請求の範囲】
【請求項１】
石炭焚きボイラの炉底に配置され、ホッパ本体の内部に少なくとも１箇所の山形部分を有するクリンカホッパにおいて、上記ホッパ本体は、上記山形部分の頂部が固定部分から分離されるとともに同固定部分に着脱可能であり、更に、上記山形部分の頂部が、上記固定部分に対してスライド可能であることを特徴とするクリンカホッパ。
【発明の詳細な説明】
【０００１】
【発明の属する技術分野】
本発明は、石炭焚きボイラの炉底灰を処理する開閉式のクリンカホッパに関する。
【０００２】
【従来の技術】
図９〜図１１には発電用石炭焚きボイラにおける炉底灰を収容し排出するためのクリンカホッパの従来の１例が示されている。図において、１はボイラ底壁管、１００は同ボイラ底壁管１の開口部１ａの下方に設けられたクリンカホッパであり、ボイラ内から落下してくる石炭燃焼灰を上記クリンカホッパ１００内に一定時間貯留後間欠的に排出するようになっている。
【０００３】
上記クリンカホッパ１００は、通常、ボイラから落下する上記燃焼灰を１２時間程度一時的に貯留することを要するため、大容積となるとともに、複数本の支柱３によって地上に堅固に固定されている。そして上記ボイラの底部の開口部１ａは上記クリンカホッパ１００によって閉塞されている。
【０００４】
２はホッパ本体であり、図９に示されるように断面が略Ｖ字状に形成されている。そして、ボイラの定期点検、修理時にボイラ底壁管１の開口部１ａを有効に活用するため、上記Ｖ字状のホッパ本体２の底部一式を移動ホッパ４として、車輪５、レール６、ストッパ７、駆動装置８を備えた単独の架台９によって支持するように構成されている。
【０００５】
上記移動ホッパ４には、燃焼灰の排出口用のゲートエンクロージャ１０、ゲート１１、ゲート１１開閉用の駆動装置１２、及び各種配管、電線等が装備されている。そして上記エンクロージャ１０、各種配管、電線等は、夫々クリンカクラッシャ１３及び配管、電線等に接続されている。
【０００６】
かかる従来のクリンカホッパを備えたボイラの点検、修理時において、移動ホッパ４を移動する際には、ホッパ本体２と移動ホッパ４との連結部を切り離し、ストッパ７、エンクロージャ１０、各種配管、電線等の取り合い部を外した後、図１１に示されるように、駆動装置８によって移動ホッパ４を水平方向に移動させ、その後固定（仮固定）する。次いで、ボイラの炉内に設置される仮設足場、メインテナンス機材等が積み込まれたトラックをボイラの直下部に移動させ、上記足場、メインテナンス機器等を吊り上げ装置にてボイラの内部に直接搬入する。点検、修理終了後は上記と逆の手順で移動ホッパ４を復旧する。
【０００７】
【発明が解決しようとする課題】
しかしながら図９〜図１１に示される従来のクリンカホッパを備えたボイラにおいては、次のような問題点がある。
【０００８】
（１）ボイラの定期点検、修理は、極力短時間にかつ少ない工程で行なうことが要求されるが、かかる従来の装置にあっては、エンクロージャ１０、配管、電線等の接続機器が多く、このためこれら機器の取り外し、復旧工事に多大な時間を要する。
【０００９】
（２）移動ホッパ４の移動操作は２年に１〜２回行なわれる上記定期点検、修理工事等のみであるが、かかる工事のみに使用し、使用頻度が少ない電動式の駆動装置８及び付帯機器等を常設することを要し、またエンクロージャ１０、付属品、支持架台等の重量物を地上移動するためのレール６の基礎工事を必要とすることから、装置（クリンカホッパ）の製作費用及び据付費用が増大する。
【００１０】
（３）移動ホッパ４を移動させるためのスペースを必要とするため、移動後におけるクリンカホッパ周りのメインテナンスのためのスペースが採れない。
【００１１】
従って本発明の目的は、ボイラ点検、修理時の付帯工事が減少されるとともに工事期間が低減され、クリンカホッパの移動部分の移動時におけるメインテナンススペースの有効利用が図られ、さらには製作費用及び据付費用の低減がなされたクリンカホッパを提供することにある。
【００１２】
【課題を解決するための手段】
本発明は上記問題点を解決するもので、その要旨とする手段は、石炭焚きボイラの炉底に配置され、ホッパ本体の内部に少なくとも１箇所の山形部分を有するクリンカホッパにおいて、上記ホッパ本体は、上記山形部分の頂部が固定部分から分離されるとともに同固定部分に着脱可能であり、更に、上記山形部分の頂部が、上記固定部分に対してスライド可能であることを特徴とするクリンカホッパにある。
【００１３】
上記手段によれば、ボイラの点検、修理時にはホッパ本体の山形部分を固定部分から取り外して水平移動すれば、上記山形部分の取付部に開口部が形成されることとなり、この開口部を利用してボイラの点検、修理用機材の搬入、搬出を行なうことができる。
【００１４】
従って、上記山形部分は、配管、配線等他の付属部分を殆ど付帯することなく、固定部分から取り外し、移動することができることとなり、移動のための付帯機材の取り外し等の付帯工事が減少し、工事期間が短縮される。また、上記山形部分を隣接する固定部分の谷部分に仮置き、あるいはスライドさせて側部に置くことができるので、クリンカホッパ周りのメインテナンススペースの有効利用が可能となる。さらに、山形部分のみを移動するので、従来のものよりも重量が大幅に軽減されることとなり、製作費用が低減される。
【００１５】
また、山形部分の頂部を固定部分に対してスライドさせることにより、点検、修理作業用の開口部を少ない労力で簡単に形成することができる。
【００１６】
【発明の実施の形態】
以下図１〜図８を参照して本発明の実施形態につき詳細に説明する。図１〜図３には本発明の実施の第１形態に係る石炭焚きボイラ用クリンカホッパが示され、図１はその全体斜視図、図２は図１のＡ−Ａ矢視図、図３は図２のＢ−Ｂ矢視図である。
【００１７】
図１〜図３において、１はボイラ炉壁管、１ａはボイラ底部の開口部、１００は同開口部１ａの直下部に設置されたクリンカホッパであり、該クリンカホッパ１００は複数本の支柱３により地上に支持されている。２は上記クリンカホッパ１００のホッパ本体であり、その長手方向断面形状が図２に示されるように山形部分と谷の部分とが連結されてなる複数のＶ字状（この実施形態ではＶ字状を２個連結してＷ字状としているが、３個以上連結してもよい）に形成されている。
【００１８】
上記ホッパ本体２は、その山形部分が谷の部分である固定ホッパ６に対して別体に構成された頂部に吊り下げ金具の取付部（図示省略）を有する吊り屋根状の移動ホッパ５となっている。そして同移動ホッパ５は、シール部材（図示省略）を介して、ボルト等の締着手段（図示省略）によって上記固定ホッパ６の端部フランジに着脱可能とされている。７は灰排出口用エンクロージャ、８はゲートシリンダであり、この両部材７，８及びこれらに付属する配管、電線等は上記固定ホッパ６側に設けられている。４は灰処理ノズルである。
【００１９】
上記のように構成されたクリンカホッパ１００を装備したボイラの点検、修理時において、ボイラを停止した後、移動ホッパ５を取付用のボルトを弛めることによって固定ホッパ６から取り外し、この移動ホッパ５をボイラの下部に設置した吊り装置１９及びロープ９ａによって吊り下げ、図２に示されるように、水平方向に移動せしめて隣接する固定ホッパ６の谷部６ａに仮置きする。この際において、上記移動ホッパ５と上記谷部６ａとの間の緩衝用として、移動ホッパ５の下端部に軟質材料からなる受金具１０を取付けている。
【００２０】
かかる移動ホッパ５の水平移動によって、ホッパ本体２の移動ホッパ５が取付けられていた部分、つまりボイラの開口部１ａの直下の部分が開口する。次いでこの開口部２ａの下方に、工事用足場、メインテナンス機材等を搭載したトラック２０を進入させ、上記吊り装置９によってこれらの機材を吊り上げ、ボイラの内部に搬入する。
【００２１】
以上のように、かかる実施形態によれば、山形部分と谷の部分とが連結されてなる複数のＶ字状に形成されたホッパ本体２の山形部分を移動ホッパ５として、固定ホッパ６に対して着脱自在でかつ水平方向に移動可能に設けているので、ボイラの定期点検、修理時には、移動ホッパ５のみを固定ホッパ６から取り外して水平移動すれば、同移動ホッパ５の取付部に開口部２ａが形成されることとなり、この開口部２ａを利用してボイラの点検、修理用機材の搬入、搬出を行なうことができる。
【００２２】
従って移動ホッパ５は、他の部材を殆ど付帯することなく（この実施形態では灰処理ノズル４のみが付帯される）移動することができることとなり、移動ホッパ５の移動が簡単に行えるとともに、ボイラ点検、修理時の付帯工事が減少し、工事期間が短縮される。
【００２３】
また、移動ホッパ５は隣接する固定ホッパ６の谷部分６ａ内に仮置きできるので、ボイラ点検、修理用のクリンカホッパ１００周りのスペースの有効利用を図ることができる。
【００２４】
さらに、ホッパ本体２の山形部分のみを移動ホッパ５としているので、図９〜図１１に示される従来のクリンカホッパの移動部分よりも重量が軽減され、製作費用、据付費用が低減できる。
【００２５】
図４〜図８には本発明の実施の第２形態に係るクリンカホッパが示され、図４は正面図、図５は図４のＡ−Ａ矢視図、図６はスライドホッパの拡大図、図７は図６のＺ部拡大図、図８は図６のＣ−Ｃ断面図である。
【００２６】
この実施形態においてはホッパ本体２の山形部分をホッパ本体２の幅方向、即ち図４に示される複数のＶ字状に連結された長手方向と直角方向にスライド可能なスライドホッパ１５に構成している。即ち、図４〜図５において、１５はスライドホッパであり、上記ホッパ本体２の山形部分を固定部分である固定ホッパ６から切り離して別体としている。
【００２７】
上記スライドホッパ１５には、図６に示されるように灰処理ノズル４が取付けられており、通常のボイラ使用時（ボイラの点検、修理を行わないとき）には、図７に示されるようにその両端部をセットボルト１２によって固定ホッパ６に固定されている。そして、図７に示されるように、上記スライドホッパ１５の両端部にはローラ９が同スライドホッパ５の幅方向に転動可能に取付けられている。また、上記固定ローラの両端部には、調整ボルト１１がねじ込まれ、この調整ボルト９の上端部に受けレール１０が固定されている。この受けレール１０上には、上記ローラ９が転動可能となって、同ローラ９の軌道を構成している。
【００２８】
また、上記スライドホッパ１５は、図５に示されるように、ホッパ本体２の山形部分を中央部から幅方向にスライドして開口部Ｓを形成できるように中央部にて２つ割りに構成されており、固定ホッパ６は、幅方向には上記開口部Ｓ、の範囲、長手方向には図４に示されるように開口部Ｓ１の範囲が夫々切り開かれている。
【００２９】
尚、この実施形態においても上記第１形態と同様、灰排出口用のエンクロージャ７、支柱３、エンクロージャ用のゲートシリンダ８及びそれらに付帯する配管及び配線は固定されている。
【００３０】
かかる第２形態のように構成されたクリンカホッパ１００を装備したボイラの点検、修理時においては、スライドホッパ５用のセットボルト１２を全て取り外し、固定ホッパ６に取付けられた調整ボルト１１をねじ込んでこれに固定された受けレール１０を適当量（例えば１０数mm程度）上方に押し上げ、スライドホッパ１５を固定ホッパ６から上方に適当量浮き上がらせる。
【００３１】
そして、チェーンブロック等の用具にてスライドホッパ１５を支持し（例えば吊り下げて支持し）、図５に示されるように左右の幅方向にスライドさせる。これによってホッパ本体２の山形部分には幅方向にＳ、長手方向にＳ１の開口幅を有する開口部２ａが形成される。次いで上記第１形態と同様にメインテナンス機材等を搭載したトラック２０を上記開口部２ａの直下部に進入させ、点検、修理工事に入る。この場合はスライドホッパ１５を固定ホッパ６上をスライドさせて開口部２ａを形成するので、移動部分の移動作業が労力を要することなく簡単にでき、移動部分の仮置き場所も格別に設けることを要さず、メインテナンススペースの有効利用が可能となる。
【００３２】
【発明の効果】
本発明は以上のように構成されており、本発明によれば、ボイラの点検、修理時にはホッパ本体の山形部分を固定部分から取り外して水平移動すれば、上記山形部分の取付部に開口部が形成されることとなり、この開口部を利用してボイラの点検、修理用機材の搬入、搬出を行なうことができる。
【００３３】
従って、上記山形部分は、配管、配線等他の付属部分を殆ど付帯することなく、固定部分から取り外し、移動することができることとなり、移動のための付帯機材の取り外し等の付帯工事が減少し、工事期間が短縮される。また、上記山形部分を隣接する固定部分の谷部分に仮置きあるいはスライドさせて側部に置くことができるので、クリンカホッパ周りのメインテナンススペースの有効利用が可能となる。さらに、山形部分のみを移動するので、従来のものよりも重量が大幅に軽減されることとなり、製作費用が低減される。
【００３４】
また、山形部分の頂部をスライドさせることにより、作業用の開口部を少ない労力で簡単に形成でき作業能率が向上する。
【図面の簡単な説明】
【図１】本発明の実施の第１形態に係る石炭焚きボイラ用クリンカホッパの全体斜視図。
【図２】図１のＡ−Ａ矢視図。
【図３】図２のＢ−Ｂ矢視図。
【図４】本発明の実施の第２形態を示すクリンカホッパの図２応当図（長手方向の断面図）。
【図５】図４のＡ−Ａ矢視図。
【図６】図４のＹ部拡大図。
【図７】図６のＺ部拡大図。
【図８】図６のＣ−Ｃ矢視図。
【図９】従来のクリンカホッパの１例を示す長手方向断面図。
【図１０】図９のＡ−Ａ矢視図。
【図１１】図９のＢ−Ｂ矢視図。
【符号の説明】
１００  クリンカホッパ
１      ボイラ底壁管
２      ホッパ本体
２ａ    開口部
３      支柱
５      移動ホッパ
１５    スライドホッパ
６      固定ホッパ
７      エンクロージャ
８      ゲートシリンダ
９      ローラ
１０    受けレール
１０    受け金具
１１    調整ボルト
１９    吊り装置
【図１】
0003697021.tif 000002
【図２】
0003697021.tif 000003
【図３】
0003697021.tif 000004
【図４】
0003697021.tif 000005
【図５】
0003697021.tif 000006
【図６】
0003697021.tif 000007
【図７】
0003697021.tif 000008
【図８】
0003697021.tif 000009
【図９】
0003697021.tif 000010
【図１０】
0003697021.tif 000011
【図１１】
0003697021.tif 000012